(57)【特許請求の範囲】
【請求項１】
空間を囲んでいる第１の基板及び第２の基板を少なくとも有しており、
前記第１の基板及び前記第２の基板の少なくとも一部は、少なくとも部分的に透明であり、
前記基板間の空間は、少なくとも１つの電気的な光要素を有しており、
前記光要素は前記基板に対して変位可能であり、
前記基板は電力手段を有しており、
前記光要素は、前記電力手段と摺動電気接触している前記光要素に電力を供給する摺動電気コネクタを備えている、
照明システム。
【請求項２】
複数の前記光要素の少なくとも一部が、互いから独立に変位可能である、請求項１に記載の照明システム。
【請求項３】
前記照明システムは、無機発光ダイオード（ＬＥＤ）、有機発光ダイオード（ＯＬＥＤ）及びレーザからなるグループから選択される少なくとも１つの光要素を有する、請求項１又は２に記載の照明システム。
【請求項４】
両方の前記基板が少なくとも部分的に透明である、請求項１に記載の照明システム。
【請求項５】
前記第１の基板が透明であり、この透明な基板に対向している第２の基板は反射表面を備えている、請求項１に記載の照明システム。
【請求項６】
前記電力手段は、同じ基板上の隣接する領域を覆っている少なくとも１つの陽極及び少なくとも１つの陰極を有し、前記光要素の前記摺動電気コネクタは、接続位置において前記陽極及び陰極と接触する、請求項１又は３に記載の照明システム。
【請求項７】
前記光要素の第１の摺動電気コネクタは、前記光要素の末端に位置されており、前記光要素の第２の摺動電気コネクタは、前記光要素の他の末端にあり、前記第１の摺動電気コネクタと対向している、請求項６に記載の照明システム。
【請求項８】
少なくとも１つの陽極が第１の基板の少なくとも一部を覆っており、少なくとも１つの陰極が対向する前記第２の基板の少なくとも一部を覆っており、前記光要素の当該コネクタは、接続位置において、前記陽極及び前記陰極と同時に接触する、請求項１又は３に記載の照明システム。
【請求項９】
前記光要素の第１の摺動電気コネクタは前記光要素の上部に位置されており、前記光要素の第２の摺動電気コネクタは、前記光要素の底部に位置されており、前記第１の摺動電気コネクタと対向している、請求項８に記載の照明システム。
【請求項１０】
前記陽極及び／又は前記陰極が、前記基板の一部のみを覆っており、この結果、少なくとも前記基板に対するある位置において、前記第１の摺動電気コネクタ及び前記第２の摺動電気コネクタは、前記陽極及び前記陰極の両方に接続し、前記光要素に電力を供給するのに対し、少なくとも前記基板に対する更なる位置において、前記摺動電気コネクタは、前記陽極及び前記陰極の両方に接続しない、請求項９に記載の照明システム。
【請求項１１】
前記光要素は、前記陽極及び／又は前記陰極に対して前記コネクタにバイアスをかけるバイアス手段を備えている、請求項６に記載の照明システム。
【請求項１２】
前記照明システムは、前記光要素を前記基板に対する所定の位置に固定する固定手段を備えている、請求項１に記載の照明システム。
【請求項１３】
前記システムが、前記光要素を変位させる駆動手段を備えている、請求項１又は３に記載の照明システム。
【請求項１４】
請求項１乃至１３の何れか一項に記載の照明システムを有する表示器。
【発明の詳細な説明】
【技術分野】
【０００１】
本発明は、照明システム、このようなシステムの使用のための光要素、及びこのような照明システムを有する表示器に関する。
【背景技術】
【０００２】
一般照明システム、装飾的な照明システム及び標識のような、照明システムは、典型的には、無機発光ダイオード（ＬＥＤ）、有機発光ダイオード（ＯＬＥＤ）又はレーザを含む電気的な光要素を有している。前記光要素は、前記光要素の電力供給のために必要とされる陽極及び陰極を有する固定されたホルダ上に取り付けられている。
【発明の概要】
【０００３】
発せられた光の外観がユーザによって容易に変更され、ユーザが創造的な仕方でこうすることを可能にする柔軟な照明システムに対する必要性が増大している。
【発明が解決しようとする課題】
【０００４】
既知のシステムの不利な点は、変形が、マウントを移動させるか、又は動的な仕方において固定された照明要素からの光を変更する技術的に進んだシステム導入によるかの何れかによってのみ達成されることができることにある。このようなシステムは、しばしば、操作が複雑であり、比較的多くの空間を占有し、典型的には前記ユーザの創造力を制限する。
【０００５】
本発明の目的は、比較的簡単な変形を可能にする比較的簡単な照明システムを提供することにある。
【課題を解決するための手段】
【０００６】
本発明は、空間を囲んでいる第１の基板及び第２の基板を少なくとも有する照明システムであって、前記第１の基板及び前記第２の基板の少なくとも一部は、少なくとも部分的に透明であり、前記基板間の空間は、少なくとも１つの電気的な光要素を有し、前記光要素は前記基板に対して変位可能であり、前記基板は電力手段を有しており、前記光要素は、前記電力手段と摺動電気接触している前記光要素に電力を供給するための摺動電気コネクタを備えている、照明システムを提供する。このようなシステムは、前記光要素の位置の比較的容易な変形を可能にする比較的簡単な照明システムを提供する。好ましくは、前記基板は、本質的に平行である。この基板は、平坦な表面のものであっても良いが、部分的に湾曲されていても良い。前記電力手段は、如何なる適切な導電材料から作られていても良い。典型的には、前記電力手段は、陽極及び陰極を有しており、交流（ＡＣ）か又は直流（ＤＣ）かの何れかによって電力を供給されることができ、前記光要素は、利用可能な電力供給に合うように選択される。前記第１の基板及び前記第２の基板の少なくとも一方は、電気的に電力を供給される陰極及び陽極を備えている。この陰極及び陽極は、例えば、少なくとも１つの基板上に形成される導電トラックであっても良く、又は例えば、第１の基板は、陰極層を備えており、対向する基板は、陽極層を備えている。前記光要素が、前記基板に対する全ての位置において電力を供給されることは、必要ではない。電力が前記光要素に利用可能ではない位置において、前記光要素はオフに切り換えられる。前記基板間の空間は、前記光要素の摺動運動を収容するのに適している。この光要素は、例えば、無機発光ダイオード（ＬＥＤ）、有機発光ダイオード（ＯＬＥＤ）又はレーザ要素であっても良く、好ましくは、可視光（３５０ｎｍ−７５０ｎｍ）に適している。電力を供給された場合、前記光要素から発される光は、前記基板の透明な部分を通って直接的に又は間接的に発されることができる。摺動電気コネクタは、ブラシ、ばね又はローラーのような、導電性組織（organs）を含む如何なる適切な電気接触手段も含み得る。従って、摺動電気コネクタは、広義に解釈されるべきであり、例えば、回転動作も含み得る。
【０００７】
好ましい実施例において、前記照明システムは、複数の光要素を有する。従って、より大きな数の変更の選択肢が、生成される。この照明システムは、例えば、１０、２０又は何百もの変位可能な光要素を有し得る。この照明要素は、異なる色を発しても良い。複数の照明要素が、例えば、文字、数又は語の形態において一緒にグループ化されることができる。
【０００８】
前記複数の光要素の少なくとも一部が、互いに対して独立に変位可能であるならば、好ましい。従って、多くの異なる文字、数、語及び／又は他のグラフィックの形態を形成することが、比較的容易である。各々光ドットを形成する複数の光要素は、詳細には、考えられるあらゆるグラフィックの形態を形成するのに適しており、従って、大きな柔軟性を提供する。
【０００９】
好ましくは、前記照明システムは、無機発光ダイオード（ＬＥＤ）、有機発光ダイオード（ＯＬＥＤ）及びレーザからなるグループから選択される少なくとも１つの光要素を含む。このような光要素は、容易に利用可能であるであるが、本発明によるシステム内の電気接触を摺動させなければならない。
【００１０】
好ましい実施例において、両方の基板は、少なくとも部分的に透明である。従って、前記光は、両方の基板の透明な部分を通って発されても良く、前記光接触の可視性を拡大している。このような場合、好ましくは、透明陽極及び陰極が使用され、これらは、従来技術において知られている。最も好ましくは、両方の基板は、完全に透明である。照明装置のこの種類の１つの既知の例は、前記光源によって発される光が両方の基板の透明な部分を通って発されることができる、所謂「ガラス内のＬＥＤ」装置である。
【００１１】
好適な実施例において、前記第１の基板は、透明であり、この透明な基板に対向している前記第２の基板は反射性の表面を備えている。従って、ユーザによって知覚される光輝度は、最適化される。
【００１２】
好ましくは、前記第１の基板は、透明であり、この透明な基板と対向する前記第２の基板は、金属表面を備えている。金属基板の使用の有利な点は、照明装置が複数のＬＥＤを有する場合において必要とされ得る改善された熱管理である。金属表面は、光反射性であっても良い。
【００１３】
少なくとも１つの陽極及び少なくとも１つの陰極が、同じ前記基板上の隣接する領域を覆っているならば、好ましく、前記光要素のコネクタは、接続位置において前記陽極及び陰極と同時に接触する。従って、前記基板の一方のみが、電力手段（陽極及び陰極）を設けられることを必要とする。前記光要素は、前記光要素の前記接触要素が前記陽極及び陰極と接触しない非接続位置へ移動されることもできると考えられる。従って、前記基板に対して前記光要素を変位させることによって前記光要素をオン／オフすることが可能である。 
【００１４】
好ましくは、前記光要素の第１コネクタは、前記光要素の末端にあり、前記光要素の第２のコネクタは前記光要素の他方の末端にあり前記第１のコネクタと対向している。
【００１５】
好ましい実施例において、少なくとも１つの陽極は、第１の基板の少なくとも一部を覆っており、少なくとも１つの陰極は、前記対向する基板の少なくとも一部を覆っており、前記光要素の前記コネクタは、接続位置において同時に前記陽極及び前記陰極と接触する。前記陽極及び陰極を基板上で対向させることは、前記照明要素が電力を供給される（例えば、陽極及び陰極の両方に接続されている）位置に対して改善された柔軟性を提供する。
【００１６】
好ましくは、前記光要素の第１のコネクタは、前記光要素の上部に位置され、前記光要素の第２のコネクタは、前記光要素の底部にあり、前記第１コネクタと対向している。
【００１７】
前記陽極及び／又は前記陰極のみが前記基板の一部を覆い、この結果、少なくとも前記基板に対する『オン』位置において、前記コネクタ手段が前記陽極及び前記陰極の両方に接続しており、前記光要素に電力を供給するのに対し、少なくとも前記基板に対する『オフ』位置において、前記コネクタ手段が前記陽極及び前記陰極の両方に接続しなないならば、有利である。このことは、特定の光要素を、この光要素を前記基板上の特定の位置又は領域に移動することによってオン又はオフへ切り替えることを可能にする。更に、前記基板上の異なる位置に位置されている異なる電位を有する陽極／陰極を設けることによって光の輝度を調整することも可能である。 
【００１８】
好ましい実施例において、前記照明システムは、異なる位置において異なる電位を有する異なる陽極及び／又は陰極を有し、この結果、前記光要素に供給される電力は、前記光要素の位置に依存する。このようなシステムは、ユーザに創造的な可能性を提供し、前記基板に対する前記照明要素の位置に依存する特定の光要素から発せられた光の量の容易な変更を可能にする。
【００１９】
前記光要素は、前記接続手段に前記陽極及び／又は前記陰極に対するバイアスを印加するバイアス手段を備えているならば、好ましい。従って、前記陽極及び陰極との前記照明要素の非常に信頼できる摺動電気接触が、可能である。このバイアス手段は、例えば、電気接触要素を陽極又は陰極に対して押圧するばね要素を有し得る。代替的には、前記押圧手段は、前記接続手段と一体化されている。例えば、前記押圧手段は、電気コネクタから形成されるばねであり得る。
【００２０】
前記照明システムは、前記光要素を前記基板に対する所定の位置に固定する固定手段を備えているならば、好ましい。従って、前記光要素の所定の位置を保持するのは非常に容易である。前記固定手段は、例えば、前記基板間に前記光要素をクランプする付勢手段に基づく機械的なものであり得る。しかしながら、前記固定手段は、適切に適応化された光要素の位置を安定化するように、磁場又は電場を使用することができる。この固定手段は、前記基板が垂直方向に指向されており、前記固定手段が重力に耐えるのに十分に強力であることが必要である場合に、特に便利である。
【００２１】
有利には、前記システムは、前記光要素を変位させる駆動手段を備えている。このような駆動手段は、前記光要素の容易な変位を可能にする。好ましい実施例において、前記光要素は、磁気的感受性（magnetically susceptible）のあるものであり得て、前記駆動手段は、磁気感受性のある光要素を移動する変位可能な磁石を有する。代替的には、前記光要素は、電場に対する感受性を有し得て、前記駆動手段は、前記光要素を変位させることができる電場生成器を有する。更に他の代替的な実施例において、前記基板間の空間は、流体媒体を有しており、前記駆動手段は、前記光要素を移動させることができる前記流体媒体の流れを生成するポンプ手段を有している。このようなシステムは、動的な光効果を達成するのに使用されることもできる。
【００２２】
有利には、前記基板の少なくとも一部は、光変更手段を備えている。従って、前記システムによって発された光の外観を変更するのが容易である。この光修正手段は、好ましくは、色フィルタ、光拡散器、光リフレクタ、屈折要素、回折要素及び発光要素から成るグループから選択される少なくとも１つの光学要素を有している。この発光性要素は、有機及び無機発光性及び発光材料を有し得る。前記基板の異なる位置に異なる光変更手段を設けることによって、ユーザによって知覚される光特性（例えば、光分布及び光の色（温度））は、前記光要素を前記基板に対して変位させることによって変化されることができる。
【００２３】
本発明は、本発明による照明システムにおける使用のための少なくとも１つの摺動電気コネクタを備える光要素を更に提供する。
【００２４】
本発明は、本発明による照明システムを有する表示器も提供する。このような玩具は、ユーザが、少なくとも１つの（しかし、好ましくは複数の）光要素の位置をアレンジすることを可能にする。このシステムは、前記光要素を単に再アレンジすることによる創造的な娯楽（例えば、文字、数、語又はグラフ図の編成）を可能にする。この表示器は、例えば、玩具若しくは娯楽システムにおいて又は容易に変更されることができる発光標識板として使用されることができる。
【００２５】
本発明は、今、以下の非限定的な例によって更に説明される。添付請求項における如何なる符号も、この範囲を制限するものとして解釈されてはならない。
【図面の簡単な説明】
【００２６】
【図１ａ】本発明による照明システムの磁気変形の一実施例を示している。
【図１ｂ】本発明による照明システムの磁気変形の一実施例を示している。
【図２】本発明の他の実施例を示している。
【図３ａ】本発明による照明システムの一実施例を示している。
【図３ｂ】本発明による照明システムの一実施例を示している。
【図４】本発明による照明システムの湾曲されている変形を示している。
【図５ａ】本発明による磁気画板を示している。
【図５ｂ】本発明による磁気画板を示している。
【図６ａ】本発明による照明システムの摺動電気接続の実施例の詳細を示している。
【図６ｂ】本発明による照明システムの摺動電気接続の実施例の詳細を示している。
【図６ｃ】本発明による照明システムの摺動電気接続の実施例の詳細を示している。
【図６ｄ】本発明による照明システムの摺動電気接続の実施例の詳細を示している。
【図７ａ】本発明による照明システムの摺動電気接続の実施例に関する更なる詳細を示している。
【図７ｂ】本発明による照明システムの摺動電気接続の実施例に関する更なる詳細を示している。
【図７ｃ】本発明による照明システムの摺動電気接続の実施例に関する更なる詳細を示している。
【図７ｄ】本発明による照明システムの摺動電気接続の実施例に関する更なる詳細を示している。
【図７ｅ】本発明による照明システムの摺動電気接続の実施例に関する更なる詳細を示している。
【図８ａ】本発明による光要素の更なる実施例を示している。
【図８ｂ】本発明による光要素の更なる実施例を示している。
【図８ｃ】本発明による光要素の更なる実施例を示している。
【図８ｄ】本発明による光要素の更なる実施例を示している。
【図８ｅ】本発明による光要素の更なる実施例を示している。
【発明を実施するための形態】
【００２７】
図１ａは、本発明による照明システム１を示しており、照明システム１は、空間４を囲んでいる第１の透明な板２及び第２の透明な板３を有している。この透明な板又は基板は、導電性材料によって被覆されており（例えば、ＩＴＯからの透明な伝導性コーティング、例えば、銅又はドープされた半導体材料からの金属トラック）、少なくとも１つの陽極及び少なくとも１つの陰極を形成し、これらは、後述するように多くの異なる仕方で配されることができる。この導電性材料は、平行な板２、３間の空間４内に配されており、光要素５（例えば、ＬＥＤ又はＯＬＥＤ）に電力を供給する。この光要素５は、基板２、３に対して変位可能なものであり、例えば、陰極及び陽極と摺動電気接触している前記光要素に電力を供給するための、ブラシのような、摺動電気接触を有する。陽極を備える板２及び陰極を備える対向する板３のうちの一方を設けることができるが、前記板の一方に前記陽極及び前記陰極の両方を配することもできる。この光要素５は、磁気感受性を有する金属を有しており、光要素５の付近において外部磁石６を移動することにより板２、３間に移動されることができる。複数の光要素５が、板２、３間の空間４に配されることができる。オプションとして、透明板２、３は、光要素５によって発される光に対する付加的な光学効果のための付加的な光学要素７を備えていることができる。光学要素７は、透明な部分の一部又は全体を覆っても良く、フィルタ、リフレクタ、拡散器、屈折部品、回折要素、及び有機及び／又は無機発光体、並びに光要素５からの放射によって励起されることができる無機の発光性の蛍光粒子又はダイのような、様々な光学機能を含み得る。磁場の代わりに、他の変位手段も、後述されるように、光要素５を移動するのに使用されることができる。
【００２８】
図１ｂは、図１ａと同等の、他の実施例の照明システム１０を示しており、板１２、１３間の空間１４が大きく、前記光要素１５が、図１ａに示されているように並進するのを可能にするのみではなく、外部磁気手段１６によって印加される磁場の影響下で回転することも可能にする。従って、前記磁気手段は、電気接触を確立するのに使用されることができる場合、板１２、１３間で、光要素１５のオン及びオフへの切り替えを可能にする。この場合において、上部板１２は、陽極を備えており、底部板１３は陰極を備えている。光要素１５は、左側で『オフ』方位において示されており、右側で陽極及び陰極を接続する『オン』方位において示されている。
【００２９】
図２は、図１と同等の本発明の他の実施例を示しており、導電性の透明な板２２、２３間に配されているＬＥＤのような光要素２１を有する照明システム２０は、重力の影響下で変位されている。光要素２１は、第１の位置から（図２ａ）、単純に板を傾斜させることによって（ｂ、ｃ）、この光要素２１を他の位置に摺動させて（図２ｄ）移動される。摺動の間、光要素２１は板２２、２３との電気接触を保持して、光を発し続ける。
【００３０】
図３ａは、照明システム３０の他の実施例を示しており、板３２、３３間の空間３１は、媒体密なもの（medium-tight）であり、流体媒体（好ましくは、気体又は液体）を充填されている。空間３１を通って流体をポンプで入れることにより、基板３２、３３に対して光要素３４を変位させる流れが、生成されることができる。このような媒体の流れは、光要素３４の一定の動きによる動的な光効果を生成するための比較的簡単な仕方を提供する。
【００３１】
図３ｂは、本発明による照明システム３５の電場駆動変形を示している。この場合、底部基板３６は、光要素３８に電力を供給する電気トラック３７と、所定の場所にいける、引力又は斥力の電場を誘導することができる電場生成トラック３９とを備えている。図において、光要素３８は、左側における電源ワイヤ３７と接触しており、光を発する。しかしながら、光要素３８は、（右側における）他の位置へ移動されることができ、ここで、電源ワイヤ３７は利用可能ではなく、光要素３８のスイッチを効果的にオフに切り替える。
【００３２】
図４は、本発明による照明システム４０の湾曲されている変形を示しており、２つの本質的に平行な基板４１、４２は、複数の変位可能な光要素４４が配されている空間４３を規定する。このような湾曲された実施例のために、ＯＬＥＤは、ＯＬＥＤが、空間４３の曲率に対して容易に適応可能である柔軟な形態において利用可能であるので、光要素４４として特に適切である。
【００３３】
図５ａ，ｂは、本発明による磁気画板５０を示しており、他の図に記載したように、複数の照明システム５１を含んでいる。各照明システムは、電力供給領域５２と、電力がない中立領域５３とを有する。図５ａにおいて、光要素５４（ＬＥＤ）は中立領域５３内に沈殿されており、従って光を発しない。しかしながら、磁気鉛筆５５（図５ｂを参照）を使用することによって、
前記ＬＥＤは、（例えば、図１、２、３、４、６、７及び８に示されているように）中立領域５３から電力供給領域５２に変位されることができ、この結果、電力供給領域内にあるＬＥＤに関する発光を生じる。前記ＬＥＤは、これらをオフに切り替えるために、中立領域５３内に移動されて戻されることができる。従って、この非常に柔軟な画板は、多数の創造的及び実際的な可能性を提供する。この可能性は、例えば、異なる色の光要素５４の前記導入、及び光学要素の基板５０への付加によって更に強調されることさえもできる。基板５０は、例えば、壁に取り付けられるか又はテーブル上に配される場合、一方の側からのみ使用されるので、前記ユーザに近い前記基板は透明であるならば好ましいのに対し、後方基板はリフレクタであり、前記ユーザによって知覚されるように、光の前記輝度を改善するのに使用されている。
【００３４】
図６ａは、上部透明層８２及び底部層８３を有する、図５による画板において使用されることができる照明システム８１であって、前記上部層は、第１の電極８４（この場合、陽極）を備えており、対向する層８５は、対抗電極（この場合、陰極）を備えている。この光要素８６は、適切な接触部８７を備えており、光要素８６が、図６ａに従って位置決めされている場合の光の放出を生じる。しかしながら、前記光要素は、図６ｂの場合のように、接触８７が電力手段に接続していない位置に変位された場合、光要素８６は、光を発し、従って、効果的にスイッチをオフにされる。
【００３５】
図６ｃは、図６ａに対する代替的なものであって、上部基板８３上の陽極層８４を有するが、底部基板８３上の不連続な陰極層８５を有する。従って、光要素８６を移動させられた場合、接触８７は、陰極８５との接触が破壊される位置を通過し、この結果、動きの間、光要素８６の閃光を生じる。異なる電位、又は様々なトラックに供給される異なるパルス長を有する電位を有することも可能であり、従って、電源トラックを変化させているときの光輝度又はパターンを変化させる。
【００３６】
図６ｄは、他の代替的な実施例を示しており、上部の基板８２は、如何なる電力供給も有さないが、その代わりに、底部基板８３は、光要素８６の接触８７に電力を供給するための陰極８４及び陽極８５トラックの交互のパターンを備えている。
【００３７】
図７ａは実施例を示しており、光要素６０は、弾力性のある要素６１を備えており、平行板６２、６３上に力を及ぼしている。この上部平行板６３は、透明な材料であり、下方の透明材料は、当該光要素に電力を供給するための陽極６６及び陰極６７を備えている。この実施例において、光要素６０は、それぞれ陽極層６６及び陰極層６７に接続している電気接触６４、６５を備えている。光要素６０が変位されるべきである場合、弾性要素６１のバイアスによって誘発される摩擦に、打ち勝つことを必要としている場合、従って、所望の位置における光要素６０の一時的な固定を提供する。更に、前記バイアスは、光要素６０が移動している場合でさえも前記陽極及び前記陰極との良好な摺動電気接触を可能にする。
【００３８】
図７ｂは、代替的な実施例を示しており、上部板７０は陽極層７１を備えており、底部板７２は陰極層７３を備えている。従って、光要素７４は、弾性形態を持っている摺動接触７６、７７を備えており、前記光要素の変位の間さえも、適当な電力供給を保証する。
【００３９】
図７ｃは、本発明による光要素において使用されることができる弾性の摺動電気接触７８を示している。この場合、接触７８は、弧状のワイヤであり、右手側の図に示されているように押圧されても良く、従ってバイアスを作る。図７ｄは代替的な実施例を示しており、湾曲されているワイヤ７９又はストリップは、イアスを生成するように曲げられても良い。図７ｅは、スプリング接触８０がバイアスを作るために使用される代替的なものを示している。この図に示されているものと異なる弾性電気接触が考えられる。
【００４０】
図８は、本発明による光要素の更なる実施例を示している。
【００４１】
図８ａは、上述で示した照明システムと同等の照明システム９０を示しており、ＯＬＥＤ発光要素９１は、上部板９２及び底部板９３との摺動接触状態において位置決めされており、前記上部板は、陽極層９４を備えており、前記底部板は陰極９５を備えている。このＯＬＥＤは、弾性で波形の形状に成形され、前記ＯＬＥＤの接触層９６を前記陽極及び前記陰極に対して押圧するバイアスを提供する。摩擦が克服されている場合、前記ＯＬＥＤは板９２、９３間の空間９７内で移動されることができる。湾曲されたＯＬＥＤは、光要素と、光要素を固定するバイアスを提供するための弾性手段との両方を提供するように、非常に単純で簡単な仕方を提供する。様々な湾曲された形状を有するＯＬＥＤが、図８ａに示されている波形代わりに使用されることができる。例えば、図８ｂは、弧状のＯＬＥＤを示している。図８ａ及び８ｂにおけるこの上部板９２及び底部板９３は、両方透明であり得る。代替的には、底部板９３は透明ではなく、その代わりに、例えば、銅又は他の適切な金属若しくは合金でできている層の形態における金属性光反射陰極９５を備えている。陰極９５としての金属層の使用は、前記金属の優れた熱伝導特性による装置の良好な熱管理を可能にすると共に、光リフレクタとして陰極９５を使用することにより、透明な上部板９２を通って発される光輝度を最適化する。陰極９５としての金属層の代わりに、全て金属の基板９３を使用することも可能であり、これは、装置９７の更に改良された温度制御のためのヒートシンクとして振る舞う。
【００４２】
図８ｃは、異なる色（例えば、赤、緑及び青色）を有する３つのＬＥＤ１０１、１０２、１０３が一緒にグループ化されている照明要素１００を示しており、陽極接触層１０４を共有しているが、別個の陰極接触１０５を有している。この陽極接触は、如何なる形であっても良く、例えば、図７ａ―ｅに示されている弾性接触であっても良い。格子状の陰極（grated cathode）（例えば、図６ｃ）上でのこのような光要素の使用は、結果として、光要素１００の位置に依存して色の変化をもたらすのに対し、前記光要素の位置は、前記異なる色のうちのどれが、オン／オフに切り替えられるかを決定する。
【００４３】
図８ｄは、図３ｃと同等のＬＥＤアセンブリを記載しており、両側が電気接触１０４、１０５を備えている。好ましくは、前記ＬＥＤアセンブリの少なくとも一方の側において、接触１０４、１０５は、例えば、図７ａ―ｅに示されている例のように、弾性接触である。
【００４４】
図８ｅは、照明システム１１０の他の実施例を記載し、光要素１１１は、透明基板１１２と導電性基板１１３との間に位置されるレーザ要素であり、導電性トラックを備えている。この光要素１１１は、熱応答性の拡張可能な組織１１４を備えている。この『オフ』の位置において、前記組織は拡張され、従って電気接触１１５を導電性基板１１３から遠ざけたままにする。この『オン』の位置において、拡張可能な組織１１４は収縮され、小さいボリュームを有し、従って、接触１１５が、導電性基板１１３によって電力を供給されることを可能にし、光１１６を発することに至る。前記『オン』の位置と前記『オフ』の位置との間を、可逆な態様において切り替えることが可能である。熱応答性の組織１１４のこの加熱は、加熱手段（例えば、前記導電表面上の加熱トラック又は赤外線による照射）によってされることができる。レーザ要素１１１の代わりに、ＬＥＤ又はＯＬＥＤは、類似の態様において使用されることができる。
【００４５】
上述の実施例は、本発明を制限するというよりもむしろ説明的なものであり、当業者であれば、添付請求項の範囲から逸脱することなく、多くの代替的な実施例の設計をすることができることに留意されたい。前記請求項において、括弧内に配されている如何なる符号も、前記請求項を制限するものとして解釈されるものではない。「有する」なる語は、要素の存在又は添付請求項に記載されていない要素又はステップの存在を排除するものではない。単数形の構成要素は、複数のこのような構成要素を排除するものではない。幾つかの手段を列挙している装置の請求項において、これらの手段の幾つかは、１つの同じハードウェアの項目によって実施されることができる。特定の手段が、相互に異なる従属請求項において引用されているという単なる事実は、これらの手段の組み合わせが有利になるように使用されることができないと示すものではない。
【図１ａ】
0005670748.tif 000002
【図１ｂ】
0005670748.tif 000003
【図２ａ】
0005670748.tif 000004
【図２ｂ】
0005670748.tif 000005
【図２ｃ】
0005670748.tif 000006
【図２ｄ】
0005670748.tif 000007
【図３ａ】
0005670748.tif 000008
【図３ｂ】
0005670748.tif 000009
【図４】
0005670748.tif 000010
【図５ａ】
0005670748.tif 000011
【図５ｂ】
0005670748.tif 000012
【図６ａ】
0005670748.tif 000013
【図６ｂ】
0005670748.tif 000014
【図６ｃ】
0005670748.tif 000015
【図６ｄ】
0005670748.tif 000016
【図７ａ】
0005670748.tif 000017
【図７ｂ】
0005670748.tif 000018
【図７ｃ】
0005670748.tif 000019
【図７ｄ】
0005670748.tif 000020
【図７ｅ】
0005670748.tif 000021
【図８ａ】
0005670748.tif 000022
【図８ｂ】
0005670748.tif 000023
【図８ｃ】
0005670748.tif 000024
【図８ｄ】
0005670748.tif 000025
【図８ｅ】
0005670748.tif 000026